(57)【要約】【課題】実行中の印字ジョブに対して好適な省資源化が行われているかを判断することで、省資源化を図り、または省資源化を喚起することができる画像形成装置を提供する。【解決手段】クライアントから送信された印字モード設定データに基づいて、資材コストを節約して印字する省資源印字モードと通常印字モードの何れかを選択して印字制御するジョブ管理部８を備えた画像形成装置Ａであって、前記ジョブ管理部８は、通常印字モードを選択しているときに、前記クライアントから送信された印字ジョブの負荷量に基づいて印字モードが適正か否かを判断し、不適正と判断したときに前記クライアントに警告する。【選択図】図１
2008233509.tif 000002
【特許請求の範囲】
【請求項１】
クライアントから送信された印字モード設定データに基づいて、資材コストを節約して印字する省資源印字モードと通常印字モードの何れかを選択して印字制御するジョブ管理部を備えた画像形成装置であって、
前記ジョブ管理部は、通常印字モードを選択しているときに、前記クライアントから送信された印字ジョブの負荷量に基づいて印字モードが適正か否かを判断し、不適正と判断したときに前記クライアントに警告する画像形成装置。
【請求項２】
前記省資源印字モードが前記印字ジョブの負荷量に対応して複数の省資源レベルに切替可能に構成され、前記ジョブ管理部は、所定の省資源レベルの省資源印字モードを選択しているときに、前記クライアントから送信された印字ジョブの負荷量に基づいて現在の省資源レベルが適正か否かを判断し、不適正と判断したときに前記クライアントに警告する請求項１記載の画像形成装置。
【請求項３】
前記ジョブ管理部は、現在の印字モードが不適正と判断したときに印字動作を中断する請求項１または２記載の画像形成装置。
【請求項４】
前記ジョブ管理部は、不適正と判断したときに適切な省資源レベルの省資源印字モードに切り替えて印字を再開する請求項３記載の画像形成装置。
【請求項５】
前記クライアントから送信された一連の印字ジョブを蓄積する印字バッファを備え、前記ジョブ管理部は、前記印字バッファに蓄積された印字ジョブを順次読み出して印字制御するとともに、前記印字バッファに蓄積された印字ジョブに基づいて所定の負荷量を超える度に現在の印字モードが適正か否かを判断する請求項１から４の何れかに記載の画像形成装置。
【発明の詳細な説明】
【技術分野】
【０００１】
本発明は、クライアントから送信された印字モード設定データに基づいて、資材コストを節約して印字する省資源印字モードと通常印字モードの何れかを選択して印字制御するジョブ管理部を備えた画像形成装置に関する。
【背景技術】
【０００２】
近年、オフィスに設置される複写機などの画像形成装置には、ランニングコストを低減させ、または、紙資源やトナーなどの限りある資材を有効に利用するため、例えば、格納した裏紙を優先的に印字に使用することで紙資源の浪費を防ぎ、または、印字時における画像濃度を意識的に低下させて消費されるトナー量を低減させる等の様々な機能が搭載され、省資源化が図られている。
【０００３】
例えば、特許文献１には、資源コストを低減させて印字を実行する省資源モード時に優先的に選択する用紙種として裏紙や再生紙を事前に設定しておくことで、省資源モード及び自動用紙選択モードが指定された印字ジョブが実行されたときに、給紙トレイとして前記用紙種の用紙が収容された用紙トレイが自動的に選択されて給紙が実行される画像形成装置が開示されている。
【０００４】
【特許文献１】特開２００５−２４８８１号公報
【発明の開示】
【発明が解決しようとする課題】
【０００５】
しかし、特許文献１で開示された画像形成装置では、印字ジョブの実行には省資源モードを指定する必要があり、オペレータが省資源モードを指定し忘れて当該印字ジョブを実行したときには、省資源モードによる印字は行われず、省資源化を図ることはできない。
【０００６】
本発明の目的は、上述の問題に鑑み、実行中の印字ジョブに対して好適な省資源化が行われているかを判断することで、省資源化を図り、または省資源化を喚起することができる画像形成装置を提供する点にある。
【課題を解決するための手段】
【０００７】
上述の目的を達成するため、本発明による画像形成装置の第一の特徴構成は、特許請求の範囲の書類の請求項１に記載した通り、クライアントから送信された印字モード設定データに基づいて、資材コストを節約して印字する省資源印字モードと通常印字モードの何れかを選択して印字制御するジョブ管理部を備えた画像形成装置であって、前記ジョブ管理部は、通常印字モードを選択しているときに、前記クライアントから送信された印字ジョブの負荷量に基づいて印字モードが適正か否かを判断し、不適正と判断したときに前記クライアントに警告する点にある。
【０００８】
上述の構成によれば、ジョブ管理部は、オペレータにより省資源化を意図されることなく実行要求された現在実行中の印字ジョブの負荷量に基づいて、対応する印字モードが適正か否かを判断し、不適切と判断すると当該印字ジョブの送信クライアントに警告して、オペレータに省資源化を喚起することができる。
【０００９】
同第二の特徴構成は、同請求項２に記載した通り、上述の第一の特徴構成に加えて、前記省資源印字モードが前記印字ジョブの負荷量に対応して複数の省資源レベルに切替可能に構成され、前記ジョブ管理部は、所定の省資源レベルの省資源印字モードを選択しているときに、前記クライアントから送信された印字ジョブの負荷量に基づいて現在の省資源レベルが適正か否かを判断し、不適正と判断したときに前記クライアントに警告する点にある。
【００１０】
上述の構成によれば、ジョブ管理部は、オペレータの意図に応じて、所定の省資源レベルの省資源モードを選択して実行中の印字ジョブの負荷量に基づき、現在の省資源レベルが適正か否かを判断し、不適切と判断すると当該印字ジョブの送信クライアントに警告して、オペレータに省資源化を喚起することができる。
【００１１】
同第三の特徴構成は、同請求項３に記載した通り、上述の第一または第二の特徴構成に加えて、前記ジョブ管理部は、現在の印字モードが不適正と判断したときに印字動作を中断する点にある。
【００１２】
上述の構成によれば、現在の印字モードが不適正であるとき、ジョブ管理部によって印字が中断されるので、資源の不要な消費を防止することができる。
【００１３】
同第四の特徴構成は、同請求項４に記載した通り、上述の第三の特徴構成に加えて、前記ジョブ管理部は、不適正と判断したときに適切な省資源レベルの省資源印字モードに切り替えて印字を再開する点にある。
【００１４】
上述の構成によれば、オペレータは煩雑な操作を行うことなく当該印字ジョブに対する適切な省資源化を図ることができる。
【００１５】
同第五の特徴構成は、同請求項５に記載した通り、上述の第一から第四の特徴構成に加えて、前記クライアントから送信された一連の印字ジョブを蓄積する印字バッファを備え、前記ジョブ管理部は、前記印字バッファに蓄積された印字ジョブを順次読み出して印字制御するとともに、前記印字バッファに蓄積された印字ジョブに基づいて所定の負荷量を超える度に現在の印字モードが適正か否かを判断する点にある。
【００１６】
上述の構成によれば、クライアントから印字データを受信しながら印字が開始された印字ジョブの負荷量が所定量を超えるたびに、選択、実行された現在の印字モードの適／不適が判断されるため、負荷量の大きな印字ジョブであっても、省資源化の適・不適が適切に判断される。
【発明の効果】
【００１７】
以上説明した通り、本発明によれば、実行中の印字ジョブに対して好適な省資源化が行われているかを判断することで、省資源化を図り、または省資源化を喚起することができる画像形成装置を提供することができるようになった。
【発明を実施するための最良の形態】
【００１８】
以下、本発明を適用した画像形成装置について、プリンタ機能を有する複合機Ａを用いて説明する。
【００１９】
複合機Ａは、図２に示すように、液晶画面でなるカラー表示部やハードウェアキー等が配置された操作部１と、原稿載置部２にセットされた一連の原稿を順次読込んで電子データでなる画像データを生成する画像読取部３と、不図示のネットワークを介してクライアントとの間で画像データ等を送受信するデータ送受信部４と、画像読取部３で生成され、またはデータ送受信部４に受信された画像データに所定の画像処理を施す画像処理部５と、画像処理部５により画像処理が施された画像データに基づき不図示の感光体表面に潜像を形成し、当該潜像を現像したトナー像を給紙カセット６から搬送された用紙上に転写して定着、出力する画像形成部７と、各部を統括制御するシステム制御部８とを備えて構成される。
【００２０】
システム制御部８は、ＣＰＵと夫々の制御プログラムを格納するＲＯＭと作業領域となるＲＡＭ等を備える。ＲＯＭから制御プログラムを読み出して実行するＣＰＵにより、複合機Ａの各部動作は制御され、その動作モードが複写モード、またはプリンタモード、またはスキャナモードの何れかに切替えられる。即ち、システム制御部８により複合機Ａの動作モードが切り替えられる。
【００２１】
また、複合機Ａは資材コストを節約して印字する省資源印字モードを備える。換言すると、システム制御部８のＣＰＵにより省資源印字に対応する制御プログラムが実行されて各部動作が制御され、複合機Ａは省資源印字モードで動作する。省資源印字モードで動作する複合機Ａでは、複数の画像を一枚の用紙に割り付けて印字する集約印字処理や、裏紙や再生紙が格納された給紙カセット６を選択して画像を印字する裏紙印字処理や再生紙印字処理など、様々な省資源印字処理を行うことが可能である。
【００２２】
省資源印字処理は、資材コストの節約度合いに基づいて複数の省資源レベルに分類される。システム制御部８は、印字データ量や印字枚数などの印字ジョブ負荷量に基づいて、印字ジョブに対する適切な省資源レベルと省資源印字処理とを設定した省資源レベルテーブルデータ８１を備える。
【００２３】
図３（ａ）に省資源レベルテーブルデータ８１の一例を示す。当該省資源レベルテーブルデータ８１では、省資源レベルには「１」から始まる整数が付され、節約効果が高い省資源印字処理ほど大きな値となる。また、例えば、「両面印字＆ ２ｉｎ１」の省資源印字処理に対して、「３」と「４」の適切な省資源レベルが付されるなど、同一の省資源印字処理に対して複数の省資源レベルが割り振られることを妨げていない。尚、当該省資源レベルテーブルデータ８１の各項目の内容はオペレータにより任意に設定／変更することができるように構成されている。
【００２４】
クライアントから送信される印字モード設定データには、印字データに対して実行する省資源印字処理を任意に設定することができ、クライアントから印字データと印字モード設定データが送信されると、システム制御部８は複合機Ａを省資源印字モードで動作させ、印字データに対して印字モ−ド設定データに設定された省資源印字処理を実行する。ここで、クライアントから印字モード設定データが送信されないとき、即ち、印字ジョブに対して省資源印字処理を行わないとき、システム制御部８は、印字データを、上質紙が格納された給紙トレイを選択して画像を当該上質紙の片面に印字する通常印字モードで印字処理する。尚、通常印字モードの省資源レベルは「０」とする。
【００２５】
システム制御部８は、現在実行中の印字ジョブの負荷量が所定の印字データ量または所定の印字枚数を超えると、印字モードが適正か否かを判断するため、省資源レベルテーブルデータ８１を参照して、実行中の印字ジョブの印字モードの省資源レベルと前記省資源レベルテーブルデータ８１に設定された適切な省資源レベルとを比較し、前者と後者とが「同一」又は前者が後者より「大きい」ときには現在の印字モードは適正であると判断し、前者が後者より「小さ」ければ不適正と判断する。
【００２６】
システム制御部８は、実行中の印字ジョブの印字モードが不適正と判断すると、データ送受信部４を介して警告画面データを送信し、クライアントに警告画面を表示させ、または、現在実行中の印字ジョブの印字動作を中断し、または、適切な省資源レベル、即ち省資源レベルテーブルデータ８１に設定された、当該印字ジョブの負荷量に対して適切な省資源レベルの省資源印字モードに切り替えて印字動作を再開する。
【００２７】
即ち、システム制御部８は、図１に示すように、クライアントから送信された印字モード設定データに基づいて、資材コストを節約して印字する省資源印字モードと通常印字モードの何れかを選択して印字制御するジョブ管理部として動作し、通常印字モードを選択しているときに、前記クライアントから送信された印字ジョブの負荷量に基づいて印字モードが適正か否かを判断し、不適正と判断したときに前記クライアントに警告する。
【００２８】
また、省資源印字モードが印字ジョブの負荷量に対応して複数の省資源レベルに切替可能に構成され、システム制御部８は、所定の省資源レベルの省資源印字モードを選択しているときに、前記クライアントから送信された印字ジョブの負荷量に基づいて現在の省資源レベルが適正か否かを判断し、不適正と判断したときに前記クライアントに警告する。
【００２９】
また、システム制御部８は、現在実行中の印字ジョブの印字モードが不適正と判断したときに現在実行中の印字ジョブの印字動作を中断する。
【００３０】
更に、システム制御部８は、現在実行中の印字モードの印字モードが不適正と判断したときに適切な省資源レベルの省資源印字モードに切り替えて当該印字ジョブの印字を再開する。
【００３１】
システム制御部８は、現在実行中の印字ジョブの省資源レベルと省資源レベルテーブルデータ８１に設定された適切な省資源レベルの差分値毎に、複合機Ａに現在実行中の印字ジョブに対するクライアントへの警告と当該印字ジョブの中断と当該印字ジョブの再開のうち、複合機Ａにどの動作を実行させるかを設定したレベル差テーブルデータ８２を備え、当該レベル差テーブルデータ８２と算出した省資源レベルの差分値に基づいて複合機Ａを動作させる。
【００３２】
図３（ｂ）にレベル差テーブルデータ８２の一例を示す。当該レベル差テーブルデータ８２では、適切な省資源レベルから現在実行中の印字ジョブの省資源レベルの差が「０以下」であるときには印字モードは適正であると判断して現在実行中の印字ジョブの印字動作を続行し、後者から前者の差が「１」であるときにはクライアントに警告画面を表示させつつ、現在実行中の印字ジョブの印字動作を続行し、後者から前者の差が「２」であるときには現在実行中の印字ジョブの印字動作を中断してクライアントに警告画面を表示し、後者から前者の差が「３」以上であるときには現在実行中の印字ジョブの印字動作を中断し、クライアントに警告画面を表示し、適切な省資源レベルの省資源印字モードに切り替えて当該印字ジョブの印字動作を再開する。尚、省資源レベルが「３」であるとき、印字動作の再開を、システム制御部８が自動で行ってもよく、クライアントに表示された警告画面上に「再開」キーを配置して、当該キーの押圧を検出することによって行ってもよい。
【００３３】
例えば、システム制御部８が、図３（ａ）に示す省資源レベルテーブルデータ８１と図３（ｂ）に示すレベル差テーブルデータ８２とを備えてなり、通常印字モードで印字データの印字処理が実行されているとき、当該印字ジョブの印字データ量が０．５ＭＢ以上、又は印字枚数が１００枚以上となったとき、適切な省資源レベルから現在実行中の印字ジョブの省資源レベルの差分値は「１」であり、システム制御部８は、クライアントに対して警告画面を表示させる。
【００３４】
また、印字モード設定データに「裏紙印字」の印字処理が設定された印字ジョブの印字処理が実行されているとき、即ち、現在実行中の印字ジョブの省資源レベルは「１」であり、当該印字ジョブの印字データ量が０．５ＭＢ以上、又は印字枚数が１００枚以上となったとき、適切な省資源レベルからの差分値は「０」であり、当該印字ジョブの実行を継続する。当該印字ジョブの印字データ量が１．０ＭＢ以上、又は印字枚数が２００枚以上となったとき、適切な省資源レベルからの差分値は「１」であり、システム制御部８は、クライアントに対して警告画面を表示させつつ、現在実行中の印字動作を続行する。当該印字ジョブの印字データ量が１．５ＭＢ以上、又は印字枚数が３００枚以上となったとき、適切な省資源レベルからの差分値は「２」であり、システム制御部８は、現在実行中の印字ジョブの印字動作を中断し、クライアントに対して警告画面を表示させる。当該印字ジョブの印字データ量が２．０ＭＢ以上、又は印字枚数が４００枚以上となったとき、適切な省資源レベルからの差分値は「３」であり、システム制御部８は、現在実行中の印字ジョブの印字動作を中断し、クライアントに対して警告画面を表示させ、適切な省資源レベルの省資源印字モードに切り替えて印字を再開する。
【００３５】
以下に、図３（ａ）に示す省資源レベルテーブルデータ８１と図３（ｂ）レベル差テーブルデータ８２を備え、クライアントから印字ジョブが送信されてプリンタモードで動作する複合機Ａにおけるシステム制御部８の警告動作について、図４に示すフローチャートを用いて説明する。
【００３６】
クライアントから送信された印字ジョブに印字モード設定データが含まれないとき（ＳＡ１）、システム制御部８は複合機Ａを通常印字モードで動作させ（ＳＡ２）、含まれるとき（ＳＡ１）、省資源印字モードで動作させる（ＳＡ３）。
【００３７】
クライアントから送信された印字ジョブの負荷量が所定の負荷量を超えると（ＳＡ４）、システム制御部８は、適切な省資源レベルから実行中の印字ジョブの省資源レベルの差分値を算出し（ＳＡ５）、レベル差が「０」以下であるとき（ＳＡ６）、省資源レベルは適正であると判断し（ＳＡ７）、レベル差が「０」より大、即ち「１」以上であるとき（ＳＡ６）、クライアントに警告画面を表示させる（ＳＡ８）。
【００３８】
以下に、図３（ａ）に示す省資源レベルテーブルデータ８１と図３（ｂ）レベル差テーブルデータ８２を備え、クライアントから印字ジョブが送信されてプリンタモードで動作する複合機Ａにおけるシステム制御部８の印字ジョブの中断動作について、図５に示すフローチャートを用いて説明する。
【００３９】
クライアントから送信された印字ジョブに印字モード設定データが含まれないとき（ＳＢ１）、システム制御部８は複合機Ａを通常印字モードで動作させ（ＳＢ２）、含まれるとき（ＳＢ１）、省資源印字モードで動作させる（ＳＢ３）。
【００４０】
クライアントから送信された印字ジョブの負荷量が所定の負荷量を超えると（ＳＢ４）、システム制御部８は、適切な省資源レベルから実行中の印字ジョブの省資源レベルの差を算出し（ＳＢ５）、レベル差が「２」以上であるとき（ＳＢ６）、クライアントに警告画面を表示させ（ＳＢ７）、現在実行中の印字ジョブを中断する（ＳＢ８）。
【００４１】
以下に、図３（ａ）に示す省資源レベルテーブルデータ８１と図３（ｂ）レベル差テーブルデータ８２を備え、クライアントから印字ジョブが送信されてプリンタモードで動作する複合機Ａにおけるシステム制御部８の印字ジョブの再開動作について、図６に示すフローチャートを用いて説明する。
【００４２】
クライアントから送信された印字ジョブに印字モード設定データが含まれないとき（ＳＣ１）、システム制御部８は複合機Ａを通常印字モードで動作させ（ＳＣ２）、含まれるとき（ＳＣ１）、省資源印字モードで動作させる（ＳＣ３）。
【００４３】
クライアントから送信された印字ジョブの負荷量が所定の負荷量を超えると（ＳＣ４）、システム制御部８は、適切な省資源レベルから実行中の印字ジョブの省資源レベルの差を算出し（ＳＣ５）、レベル差が「３」以上であるとき（ＳＣ６）、クライアントに警告画面を表示させ（ＳＣ７）、現在実行中の印字ジョブを中断し（ＳＣ８）、適切な省資源レベルを設定して（ＳＣ９）、省資源印字モードで印字ジョブを再開する（ＳＣ１０）。
【００４４】
ところで、データ送受信部４は、クライアントから送信された一連の印字ジョブを蓄積する印字バッファ４０を備え、システム制御部８は、前記印字バッファ４０に蓄積された印字ジョブを順次読み出して印字制御するとともに、前記印字バッファ４０に蓄積された印字ジョブに基づいて所定の負荷量を超える度に現在の印字モードが適正か否かを判断する。
【００４５】
以下に、図３（ａ）に示す省資源レベルテーブルデータ８１と図３（ｂ）レベル差テーブルデータ８２を備え、クライアントから印字ジョブが送信されてプリンタモードで動作する複合機Ａにおけるシステム制御部８の印字ジョブの印字制御について、図７に示すフローチャートを用いて説明する。
【００４６】
クライアントから送信される印字ジョブは、データ送受信部４の備える印字バッファに蓄積され（ＳＤ１）、システム制御部８は、前記印字バッファに蓄積された印字ジョブを順次読み出し（ＳＤ２）、クライアントから送信された印字ジョブに印字モード設定データが含まれないとき（ＳＤ３）、システム制御部８は複合機Ａを通常印字モードで動作させ（ＳＤ４）、含まれるとき（ＳＤ３）、省資源印字モードで動作させる（ＳＤ５）。
【００４７】
当該印字ジョブの負荷量が所定の負荷量となるまでステップＳＤ１からの印字制御動作を繰り返し、所定の負荷量を超えると（ＳＤ６）、システム制御部８は、適切な省資源レベルから実行中の印字ジョブの省資源レベルの差を算出し（ＳＤ７）、レベル差テーブルデータを参照して、当該レベル差に応じた印字制御、即ち、警告動作、または中断動作、または再開動作を実行し（ＳＤ８）、印字ジョブが終了するまでステップＳＤ１からの印字制御を繰り返す（ＳＤ９）。
【００４８】
以下に、別実施形態について説明する。
【００４９】
上述の実施形態では、省資源印字モードで動作する複合機Ａでは、集約印字処理や裏紙印字処理など、紙の資材コストを節約して印字を実行する省資源印字処理を行うことが可能として説明したが、トナーの資材コストを節約する印字を実行する省資源印字処理を行うことが可能であってもよい。具体的には、画像濃度を低減させて印字を実行する低濃度印字処理や、カラー画像をモノクロ画像に変換して印字を実行するモノクロ変換印字処理などを行うことが可能であってもよく、この場合、システム制御部８が備える省資源レベルテーブルデータ８１では、当該トナーに関する省資源印字処理を含めて適切な省資源レベルを設定する必要があるが、資材コストをより効果的に節約する印字を実行することができる。
更に、紙の資材コストを節約するための省資源レベルテーブルデータとトナーの資材コストを節約するための省資源レベルテーブルデータとを別途設定して、夫々の基準で省資源印字処理を行うように構成してもよい。
【００５０】
上述の実施形態では、プリンタモードで動作する複合機Ａにクライアントから送信された印字モード設定データに基づいて、システム制御部８が省資源印字モードを選択して複合機Ａの印字制御を行うものとして説明したが、画像読取部３で読み取った画像データの印字モード設定データに基づいて、システム制御部８が省資源印字モードを選択して複合機Ａの印字制御を行うように構成するものであってもよい。この場合、印字モードが不適正だと判断したとき、システム制御部８は操作部１のカラー表示部に警告画面を表示する等すればよい。
【００５１】
上述の実施形態では、複合機Ａが印字バッファ４０を備え、システム制御部８は、当該印字バッファ４０に蓄積された印字ジョブに基づいて所定の負荷量を超える度に現在の印字モードが適正か否かを判断する構成としたが、当該印字バッファ４０を備えず、実行中の印字ジョブの負荷量が所定の負荷量を超える度に現在の印字モードが適正か否かを判断するように構成するものであってもよい。
【００５２】
上述の実施形態では、複合機Ａに本発明を適用する構成としたが、本発明を適用可能な画像形成装置は、複合機に限定するものではなく、複写機やＦＡＸなど、資材コストを節約して印字することが可能な画像形成装置全般に適用することができる。
【００５３】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。さらに、上述の複数の実施形態を適宜組み合わせて構成しても良い。
【図面の簡単な説明】
【００５４】
【図１】複合機の主要な機能ブロック図
【図２】複合機の外観図
【図３】（ａ）は省資源レベルテーブルデータの説明図、（ｂ）はレベル差テーブルデータの説明図
【図４】システム制御部の警告動作を説明するフローチャート
【図５】システム制御部による印字ジョブの中断動作を説明するフローチャート
【図６】システム制御部による印字ジョブの再開動作を説明するフローチャート
【図７】システム制御部による印字ジョブの印字制御動作を説明するフローチャート
【符号の説明】
【００５５】
Ａ：複合機
１：操作部
２：原稿載置部
３：画像読取部
４：データ送受信部
５：画像処理部
６：給紙カセット
７：画像形成部
８：ジョブ管理部（システム制御部）
８１：省資源レベルテーブルデータ
８２：レベル差テーブルデータ
【図１】
2008233509.tif 000003
【図２】
2008233509.tif 000004
【図３】
2008233509.tif 000005
【図４】
2008233509.tif 000006
【図５】
2008233509.tif 000007
【図６】
2008233509.tif 000008
【図７】
2008233509.tif 000009